(57)【要約】【課題】  展示会での仮設や、レンタル製品として供せられた階段昇降機は設置期間が短く、撤去しやすい施工が望まれており、そのようなケースに好適利用できる施工方法を提供する。【解決手段】  ガイドレールを支持する支持脚３の下端に、ブラケット６を介し、支持脚３の真下から階段の中央寄り側に張り出した靴底形状のベース７を取り付け、そのベース７における両サイドと先端部位には、それぞれコ字状の切り欠き８，８，８を設ける（ａ）。先ず、ベース７の裏面に、タブ１０ａの部分が前記切り欠き８に合致するよう、伸縮タイプの両面接着テープ１０，１０，１０をあてがい（ｂ）、次に、床面に押し付けることによってベース７を接着固定し（ｃ）、最後に、ベース７に形成されている切り欠き８と、その切り欠き８内に頭出ししている前記伸縮タイプの両面接着テープ１０におけるタブ１０ａの部分を隠すべく、べース７の周縁にカバー１１を取り付ける（ｄ）。【選択図】  図２
2006193301.tif 000002
【特許請求の範囲】
【請求項１】
階段の脇に沿って設置されたガイドレールに案内されて昇降体を移動させる階段昇降機にあって、ガイドレールを安定支持するための支持部材に、フロア面或いは階段の踏み板面に対する当接部を複数設定し、それら複数の当接部のうち少なくとも１つの当接部に、当接面が支持部材の真下から階段の中央寄り側に張り出したベースを取り付け、そのベースを易解体性接着材でフロア面或いは階段の踏み板面に接着することを特徴とする階段昇降機の施工方法。
【請求項２】
階段の脇に沿って設置されたガイドレールに案内されて昇降体を移動させる階段昇降機にあって、ガイドレールを安定支持するための支持部材に、フロア面或いは階段の踏み板面に対する当接部を複数設定し、それら複数の当接部に、当接面が支持部材の真下から階段の中央寄り側に張り出したベースを設け、それらのベースのうちの少なくとも１つを除外して易解体性接着材でフロア面或いは階段の踏み板面に接着し、前記除外したベースにおける少なくとも１つには、フロア面或いは階段の踏み板面との間にゴム板を介在させることを特徴とする階段昇降機の施工方法。
【請求項３】
接着部分をベースの張り出し部分に限定した請求項１又は２に記載した階段昇降機の施工方法。
【請求項４】
易解体性接着材に伸縮タイプの両面接着テープを利用した請求項１〜３のいずれかに記載した階段昇降機の施工方法。
【請求項５】
ベースの周縁に切り欠きを設けた請求項４に記載した階段昇降機の施工方法。
【請求項６】
階段の脇に沿って設置されたガイドレールに案内されて昇降体を移動させる階段昇降機にあって、ガイドレールを安定支持するための支持部材に、フロア面或いは階段の踏み板面に対する当接部を複数設定し、それら複数の当接部のうち少なくとも１つの当接部に、当接面が支持部材の真下から階段の中央寄り側に張り出したベースを取り付け、そのベースにおける少なくとも１つには、フロア面或いは階段の踏み板面との間にゲル状の粘着シートを介在させることを特徴とする階段昇降機の施工方法。
【請求項７】
階段の脇に沿って設置されたガイドレールに案内されて昇降体を移動させる階段昇降機にあって、ガイドレールを安定支持させるための支持部材に、フロア面或いは階段の踏み板面に対する当接部を複数設定し、それら複数の当接部に、当接面が支持部材の真下から階段の中央寄り側に張り出したベースを設け、それらのベースのうちの少なくとも１つを除外して、フロア面或いは階段の踏み板面との間にゲル状の粘着シートを介在し、前記除外したベースにおける少なくとも１つには、フロア面或いは階段の踏み板面との間にゴム板を介在させることを特徴とする階段昇降機の施工方法。
【請求項８】
ゲル状の粘着シートを介在させる部分をベースの張り出し部分に限定した請求項６又は７に記載した階段昇降機の施工方法。
【発明の詳細な説明】
【技術分野】
【０００１】
本発明は、階段の昇り降りを補助する目的に利用される階段昇降機に係り、とりわけガイドレールを取り付け固定するための施工方法に関するものである。
【背景技術】
【０００２】
階段昇降機は、特許文献１や特許文献２に記載のように、階段の脇に沿って設置されたガイドレールに案内されて昇降体を移動させる構造が採られている
そのためガイドレールが必須で、そのガイドレールは、支持部材を介してフロア面或いは階段の踏み板面に固定されている。
昇降体は一般に折り畳み式の座部を備え、座部を利用すれば腰掛けた状態にて昇り降りが可能であるし、座部を折り畳むことで荷物運搬用として利用できる。
前記支持部材には、例えば複数の支持脚が多用されており、その支持脚は、図５に示すように、支持脚１４の下端に固着されている板状のベース１５を介し、ボルト１６，１６・・にて階段の踏み板面やフロア面に固定されている。
【０００３】
【特許文献１】特開平１１−２７８７７２号公報
【特許文献２】特開２００３−１９２２５７号公報
【発明の開示】
【発明が解決しようとする課題】
【０００４】
お年寄りや体が不自由な人にとって階段昇降機は便利な装置ではあるが、ガイドレールを設置する余裕の少ない階段では、階段の昇り降りに支障のない人にとって必ずしも歓迎されるものではない。
そのため必要に応じて設置、撤去されることが予想される、又レンタル品であれば当然設置、撤去のサイクルは短くなり、更に、一時的な展示会でのデモンストレーションでは、数日で撤去されることもある。
設置、撤去作業は繁雑であるばかりか、ガイドレールを撤去すると、ベースが固定されていた階段の踏み板面やフロア面にボルトの取り付け跡が残ってしまい、それを元通りに修復することは困難である。
【課題を解決するための手段】
【０００５】
本発明は、階段の脇に沿って設置されたガイドレールに案内されて昇降体を移動させる階段昇降機に関し、前記ガイドレールの撤去を予め予想した施工方法であって、その構成は、ガイドレールを安定支持させるための支持部材に、フロア面或いは階段の踏み板面に対する当接部を複数設定し、それら複数の当接部のうち少なくとも１つの当接部に、当接面が支持部材の真下から階段の中央寄り側に張り出したベースを取り付け、そのベースを易解体性接着材でフロア面或いは階段の踏み板面に接着、或いは、ガイドレールを安定支持するための支持部材に、フロア面或いは階段の踏み板面に対する当接部を複数設定し、それら複数の当接部に、当接面が支持部材の真下から階段の中央寄り側に張り出したベースを設け、それらのベースのうちの少なくとも１つを除外して易解体性接着材でフロア面或いは階段の踏み板面に接着し、前記除外したベースにおける少なくとも１つには、フロア面或いは階段の踏み板面との間にゴム板を介在させるか、ガイドレールを安定支持するための支持部材に、フロア面或いは階段の踏み板面に対する当接部を複数設定し、それら複数の当接部のうち少なくとも１つの当接部に、当接面が支持部材の真下から階段の中央寄り側に張り出したベースを取り付け、そのベースにおける少なくとも１つには、フロア面或いは階段の踏み板面との間にゲル状の粘着シートを介在、或いは、ガイドレールを安定支持させるための支持部材に、フロア面或いは階段の踏み板面に対する当接部を複数設定し、それら複数の当接部に、当接面が支持部材の真下から階段の中央寄り側に張り出したベースを設け、それらのベースのうちの少なくとも１つを除外して、フロア面或いは階段の踏み板面との間にゲル状の粘着シートを介在し、前記除外したベースにおける少なくとも１つには、フロア面或いは階段の踏み板面との間にゴム板を介在させることことにある。
ここで易解体性接着材とは、例えば特開２００４−１２３９４３号公報に記載の水性接着剤組成物に代表されるような、被接着物を接着対象物から強制剥離を容易とする接着材を指し、ゲル状の粘着シートとは、ゲル状のシート自体が自己粘着力を有し、その自己粘着力によって強い接着性を示す薄いシートをいう。
【０００６】
そして前記階段昇降機の施工方法にあっては、接着対象をベースの張り出し部分に限定したり、易解体性接着材として伸縮タイプの両面接着テープを利用することができ、その場合、ベースの周縁に切り欠きを設ければ、裏面に貼り付けた前記伸縮タイプの両面接着テープにおけるタブの部分を前記切り欠きのエリア内に位置させて摘みやすくすることができる。
【発明の効果】
【０００７】
当接部にはガイドレールと支持部材、それに昇降体の自重が加わり、又、ベースを支持部材の真下から階段の中央寄り側に張り出させることにより、上下方向に対しては高い安定性が確保されているので、少なくとも１つの当接部を固定して横方向へのズレを防止さえすれば、充分な取り付け強度が保証される。
而も固定手段は、ベースをフロア面或いは階段の踏み板面に易解体性接着材で接着させたり、ベースとフロア面、或いは階段の踏み板面との間にゲル状の粘着シートを介在させたりするものであるから、ガイドレールの撤去はベースを剥がすだけで可能となるし、ベースの取り付け跡は残らない。
そして、易解体性接着材でフロア面或いは階段の踏み板面に接着されないベースにおける少なくとも１つにゴム板を介在させることで、横ずれ防止に対する安定性が増す。
【０００８】
又、易解体性接着材による接着対象や、フロア面或いは階段の踏み板面との間にゲル状の粘着シートを介在させる対象を、ベースの張り出し部分に限定すれば、最小の接着面で最大のズレ防止効果が得られ、易解体性接着材として伸縮タイプの両面接着テープを利用すれば、施工／撤去作業の効率化を図ることができ、その伸縮タイプの両面接着テープを利用する場合には、ベースの周縁に切り欠きを設け、切り欠きのエリア内に前記伸縮タイプの両面接着テープにおけるタブ部分を位置させれば、その切り欠き部からタブ部分が露出するので、引き剥がす場合にタブ部分を摘み易いし、周縁をカバーで覆って隠しやすい。
中でも、フロア面或いは階段の踏み板面との間にゲル状の粘着シートを介在させたベース以外のベースに、フロア面或いは階段の踏み板面との間にゴム板を介在させる施工方法は、作業性に優れ、信頼性も高い。
【発明を実施するための最良の形態】
【０００９】
本発明に係る階段昇降機の施工方法を図面に基づいて説明する。
図１は施工された階段昇降機を示したもので、１は階段２の傾斜に沿って上下一対を互いに並行配置されるガイドレールであって、このガイドレール１は複数箇所が支持部材としての支持脚３，３・・によって階段２の踏み板面やフロア面に固定されている。
前記ガイドレール１には、折り畳み式の座部４ａ付き昇降体４がそのガイドレール１に沿って昇降移動可能に組み付けられている。
この実施例では、昇降体４を支持するガイドレール１は上下一対で構成されているが、１本のみ、或いは複数本のレールを組み合わせて構成することができる。
【００１０】
座部４ａが階段２の中央側に突出するよう組み付けられた昇降体４には、商用電源で動作する駆動機構（図示せず）が組み込まれており、昇降体４に設けられた操作スイッチ、或いは階段２の下と上とに配備されたスイッチ５，５のＯＮ／ＯＦＦ操作によって制御される。
この実施例では、上から下まで直線的に傾斜した階段２に沿って設置される場合を示してあるが、途中に踊り場を有した折れ曲がりタイプの階段や、円弧状のカーブに沿って形成された螺旋階段などにあっても、ガイドレールは階段の傾斜に沿って設けられ、昇降体はそれらのガイドレール形状を忠実にトレースしながら昇降移動される。
【００１１】
フロア面或いは階段の踏み板面に当接する各支持脚３，３・・の下端には、図２に示すように、回動式のブラケット６を介して板状のベース７が取り付けられており、このベース７は当接面が支持脚の真下から階段の中央寄り側に張り出り部分を有した靴底形となっている。
【００１２】
ブラケット６はベース７に固着されており、そのベース７には、張り出し部分の周縁、具体的には両サイドと先端部位に、夫々コ字状の切り欠き８，８，８が設けられている。
前記支持脚３に、ボルト９及びナット９ａにてブラケット６を連結し、ブラケット６を回動させて角度調整すれば、ベース７の裏面をフロア面や階段の踏み板面に密着させることができる。
前記角度調整終了後は、ボルト９とナット９ａとを強く締め付け固定しておくことは勿論である。
【００１３】
図２の（ｂ）において、１０，１０，１０は、易解体性接着材として利用される伸縮タイプの両面接着テープを示し、これら伸縮タイプの両面接着テープ１０，１０，１０は、伸縮性に優れているので、接着面と平行方向に引き延ばすことにより、容易に接着面から引き剥がし可能な市販品である。
施工に際しては、ベース７における張り出し部分の裏面３カ所に、前記伸縮タイプの両面接着テープ１０をあてがって、ベース７を床面に押し付ける。
この際、伸縮タイプの両面接着テープ１０はタブ１０ａを切り欠き８の部分に合致させることが求められる。
ベース７は床面に押し付けることによって接着固定され、この状態においては図２の（ｃ）に示すように、タブ１０ａは切り欠き内に頭出し状態にて納まっており、ベース７の外縁よりはみ出してはいない。
ベース７の張り出し部分は階段中央側に出っ張るので、そのベース７の周面の厚みによる段差は、図２の（ｄ）に示すようにカバー１１にて覆う。
【００１４】
接着されたベース７は横ずれしないし、各ベース７，７，７にはガイドレール１及びその付属物の自重が押し付け力として作用するために、上下方向に対する安定性が確保されているから、少なくとも１つのみを接着固定しておけば、ガイドレール全体に安定した支持力が働くので、すべてのベースを接着する必要はない。
接着固定されないベース７’があれば、そのベース７’は、単にフロア面或いは階段の踏み板面上に当接させた状態にしておくよりも、図３に示すように、ベース７ａとフロア面或いは階段の踏み板面との間に、ゴム板１２を介在させて滑りにくくしておくことが望ましい。
このベース７ａに切り欠きは必要ないが、切り欠きのあるタイプと無いタイプとの二種類が存在すると紛らわしいとのことであれば、いずれか一方に統一することができる。
【００１５】
実施例ではベースの張り出し部分のみを接着させているので、最小限面積の接着にて最大の接着効果が得られるようになっているが、ベースの全面を接着することを否定するものではない。
ベースとフロア面或いは階段の踏み板面との間にゴム板を介在させる場合は、ゴム板の当接対象となるフロア面或いは階段の踏み板面に、摩擦抵抗を大きくするための床用樹脂コート剤を塗布することによって表面処理を施しておくことが望ましい。
【００１６】
易解体性接着材は、伸縮タイプの両面接着テープ以外にも、塗布タイプの接着剤を利用することが可能であって、その接着剤の易解体性原理には、溶剤を加えて溶かすなどの化学現象や、温変を加えて軟化させるなどの物理的現象等を利用することができる。
又昇降体には、座部を有しない荷物専用タイプを採用することもある。
【００１７】
前記実施例は、易解体性接着材を利用して少なくとも１つのベースをフロア面或いは階段の踏み板面に接着させているが、図４に示すように、ベース７ａとフロア面、或いは階段の踏み板面との間にゲル状の粘着シート１３を介在させることによって固定することができる。
ゲル状の粘着シート１３は、図４の（ａ）に示すように、全面にわたって介在させたり、図４の（ｂ）に示すように、張り出し部分のみに介在させたりできる。
又、ゲル状の粘着シートが介在されないベースには、易解体性接着剤で接着させた実施例と同様にゴム板を介在させておくことが望ましい。
更に、易解体性接着剤で接着されないベースには、ゴム板に代えてゲル状の粘着シートを介在させることもできる。
【００１８】
本発明では、ベースを固定させる手段に、剥離を前提とした接着能力の高い易解体性接着材や、ゲル状の粘着シートを利用しているので、ガイドレールを簡単に撤去することが可能となり、取り外した跡も残らないので、レンタルや展示を目的としていて、短期間で撤去されることが予想されているケースで施工する場合に好適利用される。
【００１９】
尚、実施例は支持部である支持脚が断続的に設けられたタイプを示したが、支持部材がガイドレールに沿って連続して設けられ、その支持部材の全面をフロア或いは階段の踏み板面に当接させるタイプの階段昇降にあっては、フロア面或いは階段の踏み板面に当接する部分を、個々に独立した支持部とみなし、複数の当接部を有すると解釈する。
【図面の簡単な説明】
【００２０】
【図１】本発明に係る階段昇降機の全体を示した説明図である。
【図２】接着固定対象となるベースについての説明図である。。
【図３】接着対象外のベースについての説明図である。
【図４】ゲル状の粘着シートを介在させる変更例の説明図である。
【図５】従来例の説明図である。
【符号の説明】
【００２１】
１・・ガイドレール、２・・階段、３・・支持脚、４・・昇降体、４ａ・・座部、５・・スイッチ、６・・ブラケット、７，７ａ・・ベース、８・・切り欠き、９・・ボルト、９ａ・・ナット、１０・・両面接着テープ、１０ａ・・タブ、１１・・カバー、１２・・ゴム板、１３・・ゲル状の粘着シート、１４・・支持脚、１５・・ベース、１６・・ボルト。
【図１】
2006193301.tif 000003
【図２】
2006193301.tif 000004
【図３】
2006193301.tif 000005
【図４】
2006193301.tif 000006
【図５】
2006193301.tif 000007